(57)【要約】【課題】電子機器の消費電力を抑えつつ、すばやく且つ確実に電子機器の電源をＯＮすることができるリモコンシステムを提供する。【解決手段】ＴＶ受像機を遠隔制御するためのリモコン装置１において、リモコン信号送信制御プログラム１３３ｂ１を実行したＣＰＵ１３１とリモコン信号送信部１２とによって、電源ＯＮキー１１ａ１が操作された際に、サブクロック周波数に対応した周波数で、電源ＯＮにするためのリモコン信号を送信するとともに、電源ＯＦＦキー１１ａ２が操作された際に、メインクロック周波数に対応した周波数で、電源ＯＦＦにするためのリモコン信号を送信するよう構成した。【選択図】図３
2008054212.tif 000002
【特許請求の範囲】
【請求項１】
複数のキーからなるキー操作部と、所定の被制御機器を遠隔制御するためのリモコン信号を送信する送信手段と、を備えるリモコン装置において、
前記キー操作部は、電源ＯＮキーと、電源ＯＦＦキーと、を含む電源キーを含み、
前記送信手段は、前記電源ＯＮキーが操作された際に、前記所定の被制御機器の電源がＯＦＦである場合のクロック周波数である第１クロック周波数に対応した周波数で、前記所定の被制御機器の電源をＯＮにするためのリモコン信号を送信するとともに、前記電源ＯＦＦキーが操作された際に、前記所定の被制御機器の電源がＯＮである場合のクロック周波数である第２クロック周波数に対応した周波数で、前記所定の被制御機器の電源をＯＦＦにするためのリモコン信号を送信することを特徴とするリモコン装置。
【請求項２】
複数のキーからなるキー操作部と、所定の被制御機器を遠隔制御するためのリモコン信号を送信する送信手段と、を備えるリモコン装置において、
前記キー操作部は、電源キーを含み、
前記送信手段は、前記電源キーが操作された際に、前記所定の被制御機器の電源がＯＦＦである場合のクロック周波数である第１クロック周波数に対応した周波数で、前記所定の被制御機器の電源をＯＮにするためのリモコン信号を送信するとともに、前記所定の被制御機器の電源がＯＮである場合のクロック周波数である第２クロック周波数に対応した周波数で、前記所定の被制御機器の電源をＯＦＦにするためのリモコン信号を送信することを特徴とするリモコン装置。
【発明の詳細な説明】
【技術分野】
【０００１】
本発明は、リモコン装置に関する。
【背景技術】
【０００２】
従来、電子機器用のリモコン装置により電子機器の電源をＯＮ／ＯＦＦできるようにするとともに、電子機器の消費電力を低減させるために、電子機器の電源がＯＦＦの時には、電子機器が備えるＣＰＵを、当該電子機器が通常モードである場合のクロック周波数よりも低いクロック周波数で稼動させておくモード（例えば、低消費電力モード）が知られている。
具体的には、電子機器を電源ＯＮするために電子機器用のリモコン装置に備えられた電源キーが操作されると、電子機器は、低消費電力モードから通常モードに切り換わり、その後、電源ＯＮになる。
【０００３】
ところで、リモコン装置により送信されるリモコン信号の周波数は、通常モードでのクロック周波数に対応しているが、低消費電力モードでのクロック周波数には対応していない。そのため、電子機器は、電源ＯＦＦ時（低消費電力モード時）に、リモコン信号を受信すると、まず、低消費電力モードから通常モードに切り換わり、次いで、通常モードでのクロック周波数でリモコン信号を解析する。そして、当該解析の結果、リモコン信号が電源ＯＮにするためのリモコン信号である場合に、電源ＯＮになる。
すなわち、電子機器は、リモコン信号が電源ＯＮにするためのリモコン信号であるか否かに関わらず、リモコン信号を解析するために、リモコン信号を受信すると、低消費電力モードから通常モードに切り換わるようになっている。
【０００４】
しかしながら、リモコン信号を受信する度に低消費電力モードから通常モードに切り換わっていると、電力を無駄に消費してしまうという問題がある。
【０００５】
そこで、例えば、電子機器を所定のコードを受信した場合にのみ低消費電力モードから通常モードに切り換わるよう構成しておき、そして、電源キーが操作された場合にのみ、最初に当該所定のコードを送信し、次いで電源ＯＮにするためのリモコン信号を送信するリモコン装置が提案された（例えば、特許文献１及び２参照）。
また、例えば、電源ＯＮにするためのリモコン信号は電子機器の電源をＯＮにするためのコマンドを示すデータコードを含んでいるが、このデータコードを繰り返すことを表すリピートコードを電源ＯＮにするためのリモコン信号に含むことによって、確実に電子機器の電源をＯＮすることができるリモコン装置も提案されている（例えば、特許文献３参照）。
【特許文献１】特開２００１−９５０７３号公報
【特許文献２】実登３０６３２０２号公報
【特許文献３】特開２００５−１９１９６５号公報
【発明の開示】
【発明が解決しようとする課題】
【０００６】
しかしながら、特許文献１〜３の構成では、電子機器は、低消費電力モードから通常モードに切り換わった後、通常モードのクロック周波数でリモコン信号を解析して、電源ＯＮになるため、すばやく電源ＯＮにならないという問題がある。
【０００７】
本発明の課題は、電子機器の消費電力を抑えつつ、すばやく且つ確実に電子機器の電源をＯＮすることができるリモコン装置を提供することにある。
【課題を解決するための手段】
【０００８】
上記課題を解決するために、請求項１に記載の発明は、
複数のキーからなるキー操作部と、所定の被制御機器を遠隔制御するためのリモコン信号を送信する送信手段と、を備えるリモコン装置において、
前記キー操作部は、電源ＯＮキーと、電源ＯＦＦキーと、を含む電源キーを含み、
前記送信手段は、前記電源ＯＮキーが操作された際に、前記所定の被制御機器の電源がＯＦＦである場合のクロック周波数である第１クロック周波数に対応した周波数で、前記所定の被制御機器の電源をＯＮにするためのリモコン信号を送信するとともに、前記電源ＯＦＦキーが操作された際に、前記所定の被制御機器の電源がＯＮである場合のクロック周波数である第２クロック周波数に対応した周波数で、前記所定の被制御機器の電源をＯＦＦにするためのリモコン信号を送信することを特徴とする。
【０００９】
請求項２に記載の発明は、
複数のキーからなるキー操作部と、所定の被制御機器を遠隔制御するためのリモコン信号を送信する送信手段と、を備えるリモコン装置において、
前記キー操作部は、電源キーを含み、
前記送信手段は、前記電源キーが操作された際に、前記所定の被制御機器の電源がＯＦＦである場合のクロック周波数である第１クロック周波数に対応した周波数で、前記所定の被制御機器の電源をＯＮにするためのリモコン信号を送信するとともに、前記所定の被制御機器の電源がＯＮである場合のクロック周波数である第２クロック周波数に対応した周波数で、前記所定の被制御機器の電源をＯＦＦにするためのリモコン信号を送信することを特徴とする。
【発明の効果】
【００１０】
請求項１に記載の発明によれば、送信手段によって、電源ＯＮキーが操作された際に、所定の被制御機器の電源がＯＦＦである場合のクロック周波数である第１クロック周波数に対応した周波数で、所定の被制御機器の電源をＯＮにするためのリモコン信号を送信するとともに、電源ＯＦＦキーが操作された際に、所定の被制御機器の電源がＯＮである場合のクロック周波数である第２クロック周波数に対応した周波数で、所定の被制御機器の電源をＯＦＦにするためのリモコン信号を送信することができる。
【００１１】
すなわち、所定の被制御機器は、低消費電力モードから通常モードに切り換わらなくても、低消費電力モードのままで、電源をＯＮにするためのリモコン信号を解析することができる。
したがって、所定の被制御機器を、リモコン信号の受信の度に低消費電力モードから通常モードに切り換わるよう構成する必要はなく、さらに、リモコン信号の解析のために低消費電力モードから通常モードに切り換える時間も必要ないため、電子機器（所定の被制御機器）の消費電力を抑えつつ、すばやく且つ確実に電子機器の電源をＯＮにすることができる。
さらに、電源キーは、電源ＯＮキーと電源ＯＦＦキーとを含むため、ユーザにより電源ＯＮキー又は電源ＯＦＦキーが操作されることとなって、より一層確実に、電子機器を電源ＯＮ又は電源ＯＦＦすることができる。
【００１２】
請求項２に記載の発明によれば、送信手段によって、電源キーが操作された際に、所定の被制御機器の電源がＯＦＦである場合のクロック周波数である第１クロック周波数に対応した周波数で、所定の被制御機器の電源をＯＮにするためのリモコン信号を送信するとともに、所定の被制御機器の電源がＯＮである場合のクロック周波数である第２クロック周波数に対応した周波数で、所定の被制御機器の電源をＯＦＦにするためのリモコン信号を送信することができる。
【００１３】
すなわち、所定の被制御機器は、低消費電力モードから通常モードに切り換わらなくても、低消費電力モードのままで、電源をＯＮにするためのリモコン信号を解析することができる。
したがって、所定の被制御機器を、リモコン信号の受信の度に低消費電力モードから通常モードに切り換わるよう構成する必要はなく、さらに、リモコン信号の解析のために低消費電力モードから通常モードに切り換える時間も必要ないため、電子機器（所定の被制御機器）の消費電力を抑えつつ、すばやく且つ確実に電子機器の電源をＯＮにすることができる。
【発明を実施するための最良の形態】
【００１４】
以下、図を参照して本発明に係るリモコン装置の最良の形態を詳細に説明する。なお、発明の範囲は、図示例に限定されない。
本実施の形態では、所定の被制御機器として、テレビジョン受像機（以下、「ＴＶ受像機」という）を例示して説明することとする。
【００１５】
（ＴＶ受像機（所定の被制御機器）の構成）
ＴＶ受像機３は、例えば、図１に示すように、リモコン装置１により遠隔制御される電子機器である。
具体的には、ＴＶ受像機３は、例えば、図１及び図２に示すように、アンテナ３１ａを有するチューナ３１と、復調器３２と、デコーダ３３と、リモコン信号受信部３６と、クロック信号供給部３７と、制御部３８と、等を備えて構成される。各部は、バス３０によって接続されている。
さらに、ＴＶ受像機３は、例えば、デコーダ３３と接続する音声出力部３４や映像表示部３５などを備えている。
【００１６】
ここで、ＴＶ受像機３の動作モードは、ＴＶ受像機３の電源ＯＦＦ時と電源ＯＮ時とで異なる。
具体的には、ＴＶ受像機３は、例えば、電源ＯＦＦ時には、ＴＶ受像機３のＣＰＵ３８１（後述）を第１クロック周波数としてのサブクロック周波数で稼動させる低消費電力モードになり、電源ＯＮ時には、ＴＶ受像機３のＣＰＵ３８１をサブクロック周波数よりも高い第２クロック周波数としてのメインクロック周波数で稼動させる通常モードになる。すなわち、ＴＶ受像機３のＣＰＵ３８１は、例えば、ＴＶ受像機３が電源ＯＦＦ時には、サブクロック周波数を有するタイミング信号に応じて稼動し、例えば、ＴＶ受像機３が電源ＯＮ時には、メインクロック周波数を有するタイミング信号に応じて稼動する。
ここで、サブクロック周波数は、例えば、数〜数十ｋＨｚの周波数であり、メインクロック周波数は、例えば、数〜数十ＭＨｚの周波数である。
【００１７】
なお、ＴＶ受像機３は、例えば、電源ＯＦＦ時（低消費電力モード時）においては、リモコン装置１により送信されてリモコン信号受信部３６により受信されたリモコン信号が解析できた場合にのみ、動作モードを低消費電力モードから通常モードに切り換える。
【００１８】
チューナ３１は、例えば、テレビジョン放送信号（以下、「ＴＶ放送信号」という）を受信する。
具体的には、チューナ３１は、制御部３８から入力される制御信号に従って、例えば、アンテナ３１ａにより受信されたＴＶ放送信号（例えば、デジタル方式のＴＶ放送信号）の中から、ユーザ所望の放送番組のチャンネルに対応する周波数帯域に存在するＴＶ放送信号を受信する。そして、例えば、当該ＴＶ放送信号を変調して、中間周波信号を復調器３２に出力する。
【００１９】
復調器３２は、制御部３８から入力される制御信号に従って、例えば、チューナ３１から出力された中間周波信号に対してデジタル復調や誤り訂正などの処理を施して、ストリーム（例えば、トランスポートストリーム）をデコーダ３３に出力する。
【００２０】
デコーダ３３は、制御部３８から入力される制御信号に従って、例えば、復調器３２から出力されたトランスポートストリームを解読して、当該トランスポートストリームを構成する各トランスポートパケットを判別し、ユーザ所望の放送番組に関連するトランスポートパケットにかかるデータを、圧縮音声データと、圧縮映像データと、等に分離する。そして、例えば、当該圧縮音声データをデコードして、音声データを音声出力部３４に出力するとともに、当該圧縮映像データをデコードして、映像データを映像表示部３５に出力する。
【００２１】
音声出力部３４は、例えば、スピーカ機器等であり、デコーダ３３から出力された音声データに基づく音声を出力する。
【００２２】
映像表示部３５は、例えば、液晶表示機器等であり、デコーダ３３から出力された映像データに基づく映像を表示する。
【００２３】
リモコン信号受信部３６は、例えば、リモコン装置１により送信されたリモコン信号を受信して、制御部３８に出力する。
【００２４】
ここで、リモコン信号は、例えば、当該リモコン信号の開始を示すヘッダパルスと、当該リモコン信号によって制御されるＴＶ受像機３のメーカや機種などを識別するためのカスタムコードと、ＴＶ受像機３を制御するためのコマンドを示すデータコードと、等を含んでいる。
したがって、例えば、ＴＶ受像機３の電源をＯＮにするためのリモコン信号は、ＴＶ受像機３の電源をＯＮにするためのコマンドを示すデータコード等を含むリモコン信号であり、例えば、ＴＶ受像機３の電源をＯＦＦにするためのリモコン信号は、ＴＶ受像機３の電源をＯＦＦにするためのコマンドを示すデータコード等を含むリモコン信号である。
【００２５】
クロック信号供給部３７は、例えば、サブクロック周波数のクロック信号と、メインクロック周波数のクロック信号と、等を制御部３８へ供給する。
具体的には、クロック信号供給部３７は、例えば、図２に示すように、発振回路３７１と、分周回路３７２と、等を備えている。
【００２６】
発振回路３７１は、例えば、水晶振動子を備えており、この水晶振動子の物理的寸法によって定まる発振周波数の電気信号を生成する。
【００２７】
分周回路３７２は、制御部３８から入力される制御信号に従って、発振回路３７１により生成された電気信号の発振周波数を所定の分周率（例えば、第１分周率と、当該第１分周率よりも低い第２分周率）で分周（割算）し、そして、当該分周した結果のクロック信号を制御部３８に出力する。
【００２８】
ここで、分周回路３７２により分周されたクロック信号が、ＴＶ受像機３のＣＰＵ３８１（後述）の稼動速度を決定するタイミング信号となる。
すなわち、例えば、第１分周率で分周されたクロック信号の周波数が、サブクロック周波数となり、例えば、当該第１分周率よりも低い第２分周率で分周されたクロック信号の周波数が、メインクロック周波数となる。
【００２９】
制御部３８は、例えば、図２に示すように、ＣＰＵ（Central Processing Unit）３８１と、ＲＡＭ（Random Access Memory）３８２と、ＲＯＭ（Read Only Memory）３８３と、等を備えている。
【００３０】
ＣＰＵ３８１は、ＲＯＭ３８３に記憶されたＴＶ受像機３用の各種処理プログラムに従って各種の制御動作を実行する。当該各種制御動作の実行に際して、ＣＰＵ３８１は、例えば、サブクロック周波数又はメインクロック周波数を有するタイミング信号を用いてタイミング（同期）を取りながら稼動する。
【００３１】
ＲＡＭ３８２は、ＣＰＵ３８１によって実行される処理プログラムなどを展開するためのプログラム格納領域や、入力データや上記処理プログラムが実行される際に生じる処理結果などを格納するデータ格納領域などを備える。
【００３２】
ＲＯＭ３８３は、ＴＶ受像機３で実行可能なシステムプログラム、当該システムプログラムで実行可能な各種処理プログラム、これら各種処理プログラムを実行する際に使用されるデータ、ＣＰＵ３８１によって演算処理された処理結果のデータなどを記憶する。なお、プログラムは、コンピュータが読み取り可能なプログラムコードの形でＲＯＭ３８３に記憶されている。
【００３３】
具体的には、ＲＯＭ３８３は、例えば、リモコン信号解析プログラム３８３ｂ１と、電源ＯＮ／ＯＦＦ切換プログラム３８３ｂ２と、等を記憶している。
【００３４】
リモコン信号解析プログラム３８３ｂ１は、例えば、リモコン信号受信部３６により受信されたリモコン信号を解析する機能を、ＣＰＵ３８１に実現させる。
【００３５】
ここで、リモコン装置１は、例えば、リモコン装置１により送信可能なリモコン信号のうち、ＴＶ受像機３の電源をＯＮにするためのリモコン信号のみをサブクロック周波数に対応した周波数で送信し、ＴＶ受像機３の電源をＯＮにするためのリモコン信号以外のリモコン信号（例えば、ＴＶ受像機３の電源をＯＦＦにするためのリモコン信号等）をメインクロック周波数に対応した周波数で送信するようになっている。
したがって、ＣＰＵ３８１は、例えば、電源ＯＦＦ時（低消費電力モード時）にはサブクロック周波数で稼動しているため、リモコン装置１により送信されてリモコン信号受信部３６により受信されたリモコン信号のうち、ＴＶ受像機３の電源をＯＮにするためのリモコン信号のみが解析可能である。
一方、ＣＰＵ３８１は、例えば、電源ＯＮ時（通常モード時）にはメインクロック周波数で稼動しているため、リモコン装置１により送信されてリモコン信号受信部３６により受信されたリモコン信号のうち、ＴＶ受像機３の電源をＯＮにするためのリモコン信号以外のリモコン信号が解析可能である。
【００３６】
電源ＯＮ／ＯＦＦ切換プログラム３８３ｂ２は、例えば、リモコン信号解析プログラム３８３ｂ１を実行したＣＰＵ３８１による解析の結果、リモコン装置１により送信されてリモコン信号受信部３６により受信されたリモコン信号がＴＶ受像機３の電源をＯＮにするためのリモコン信号である場合には、動作モードを低消費電力モードから通常モードに切り換えて、ＴＶ受像機３の電源をＯＮからＯＦＦに切り換えるとともに、例えば、リモコン信号解析プログラム３８３ｂ１を実行したＣＰＵ３８１による解析の結果、リモコン装置１により送信されてリモコン信号受信部３６により受信されたリモコン信号がＴＶ受像機３の電源をＯＦＦにするためのリモコン信号である場合には、動作モードを通常モードから低消費電力モードに切り換えて、ＴＶ受像機３の電源をＯＦＦからＯＮに切り換える機能を、ＣＰＵ３８１に実現させる。
【００３７】
具体的には、ＣＰＵ３８１は、例えば、クロック信号供給部３７に制御信号を入力して、メインクロック周波数のクロック信号を供給するよう指示することによって、動作モードを低消費電力モードから通常モードに切り換える。
また、ＣＰＵ３８１は、例えば、クロック信号供給部３７に制御信号を入力して、サブクロック周波数のクロック信号を供給するよう指示することによって、動作モードを通常モードから低消費電力モードに切り換える。
【００３８】
＜リモコン装置の構成＞
リモコン装置１は、例えば、図１に示すように、ＴＶ受像機３を遠隔制御するためのものである。
具体的には、リモコン装置１は、例えば、図１及び図３に示すように、キー操作部１１と、リモコン信号送信部１２と、制御部１３と、等を備えて構成される。各部は、バス１０によって接続されている。
【００３９】
ここで、リモコン装置１は、例えば、リモコン装置１により送信可能なリモコン信号のうち、ＴＶ受像機３の電源をＯＮにするためのリモコン信号のみをサブクロック周波数に対応した周波数で送信し、ＴＶ受像機３の電源をＯＮにするためのリモコン信号以外のリモコン信号（例えば、ＴＶ受像機３の電源をＯＦＦにするためのリモコン信号等）をメインクロック周波数に対応した周波数で送信する。
【００４０】
キー操作部１１は、例えば、複数のキーからなり、例えば、ユーザのキー操作に伴う押下信号を、制御部１３に出力する。
ここで、キー操作部１１には、少なくとも、電源ＯＮキー１１ａ１と、電源ＯＦＦキー１１ａ２と、を含む電源キー１１ａが含まれている。
【００４１】
リモコン信号送信部１２は、制御部１３から入力される制御信号に従って、例えば、ＴＶ受像機３を遠隔制御するためのリモコン信号を、ＴＶ受像機３のリモコン信号受信部３６に送信する。
【００４２】
制御部１３は、例えば、図３に示すように、ＣＰＵ１３１と、ＲＡＭ１３２と、ＲＯＭ１３３と、等を備えている。
【００４３】
ＣＰＵ１３１は、ＲＯＭ１３３に記憶されたリモコン装置１用の各種処理プログラムに従って各種の制御動作を実行する。
【００４４】
ＲＡＭ１３２は、ＣＰＵ１３１によって実行される処理プログラムなどを展開するためのプログラム格納領域や、入力データや上記処理プログラムが実行される際に生じる処理結果などを格納するデータ格納領域などを備える。
【００４５】
ＲＯＭ１３３は、リモコン装置１で実行可能なシステムプログラム、当該システムプログラムで実行可能な各種処理プログラム、これら各種処理プログラムを実行する際に使用されるデータ、ＣＰＵ１３１によって演算処理された処理結果のデータなどを記憶する。なお、プログラムは、コンピュータが読み取り可能なプログラムコードの形でＲＯＭ１３３に記憶されている。
【００４６】
具体的には、ＲＯＭ１３３は、例えば、リモコン信号データファイル１３３ａ１と、リモコン信号送信制御プログラム１３３ｂ１と、等を記憶している。
【００４７】
リモコン信号データファイル１３１ａ１は、例えば、ＴＶ受像機３を遠隔制御するためのリモコン信号を、キー操作部１１に含まれる各キーに対応付けて記憶している。すなわち、リモコン信号データファイル１３１ａ１に記憶されているリモコン信号が、リモコン装置１により送信可能なリモコン信号となる。
【００４８】
リモコン信号送信制御プログラム１３３ｂ１は、例えば、ユーザによりキー操作部１１に含まれるキーが操作されると、当該操作されたキーに対応するリモコン信号をリモコン信号データファイル１３１ａ１から取得し、そして、リモコン信号送信部１２に制御信号を入力して、所定の周波数で、当該取得したリモコン信号をＴＶ受像機３に送信させる機能を、ＣＰＵ１３１に実現させる。
【００４９】
具体的には、ＣＰＵ１３１は、例えば、ユーザによりキー操作部１１に含まれる電源ＯＮキー１１ａ１が操作された際には、ＴＶ受像機３の電源をＯＮにするためのリモコン信号をリモコン信号データファイル１３３ａ１から取得し、そして、リモコン信号送信部１２に、サブクロック周波数に対応した周波数で、当該取得したリモコン信号を送信させるとともに、ユーザによりキー操作部１１に含まれる電源ＯＦＦキー１１ａ２が操作された際には、ＴＶ受像機３の電源をＯＦＦにするためのリモコン信号をリモコン信号データファイル１３３ａ１から取得し、そして、リモコン信号送信部１２に、メインクロック周波数に対応した周波数で、当該取得したリモコン信号を送信させる。
ここで、リモコン信号送信手段は、例えば、リモコン信号送信部１２と、リモコン信号送信制御プログラム１３３ｂ１を実行したＣＰＵ４５１と、等から構成される。
【００５０】
＜電源ＯＮ／ＯＦＦ切換処理＞
次に、リモコン装置１によるＴＶ受像機３の電源ＯＮから電源ＯＦＦへの切換に関する処理について、図４のフローチャートを参照して説明する。
【００５１】
まず、ユーザによりリモコン装置１のキー操作部１１に含まれる電源キー１１ａが操作されると（ステップＳ１１）、リモコン装置１のＣＰＵ１３１は、ステップＳ１１にて操作された電源キー１１ａは、電源ＯＮキーであるか否かを判断する（ステップＳ１２）。
【００５２】
ステップＳ１２で、ステップ１１にて操作された電源キー１１ａは、電源ＯＮキーであると判断すると（ステップＳ１２；Ｙｅｓ）、ＣＰＵ１３１は、ＴＶ受像機３の電源をＯＮにするためのリモコン信号をリモコン信号データファイル１３３ａ１から取得し、そして、リモコン信号送信部１２に制御信号を入力して、サブクロック周波数に対応した周波数で、当該取得したリモコン信号をＴＶ受像機３に送信させて（ステップＳ１３）、本処理を終了する。
【００５３】
一方、ステップＳ１２で、ステップ１１にて操作された電源キー１１ａは、電源ＯＮキーでないと判断すると（ステップＳ１２；Ｎｏ）、すなわち、電源ＯＦＦキーであると判断すると、ＣＰＵ１３１は、ＴＶ受像機３の電源をＯＦＦにするためのリモコン信号をリモコン信号データファイル１３３ａ１から取得し、そして、リモコン信号送信部１２に制御信号を入力して、メインクロック周波数に対応した周波数で、当該取得したリモコン信号をＴＶ受像機３に送信させて（ステップＳ１４）、本処理を終了する。
【００５４】
以上説明した本発明におけるリモコン装置１によれば、複数のキーからなるキー操作部１１と、ＴＶ受像機３を遠隔制御するためのリモコン信号を送信するリモコン信号送信制御プログラム１３３ｂ１を実行したＣＰＵ１３１とリモコン信号送信部１２と、を備えている。
さらに、キー操作部１１は、電源ＯＮキー１１ａ１と、電源ＯＦＦキー１１ａ２と、を含む電源キー１１ａを含み、リモコン信号送信制御プログラム１３３ｂ１を実行したＣＰＵ１３１とリモコン信号送信部１２とによって、電源ＯＮキー１１ａ１が操作された際に、サブクロック周波数（第１クロック周波数）に対応した周波数で、ＴＶ受像機３の電源をＯＮにするためのリモコン信号を送信するとともに、電源ＯＦＦキー１１ａ２が操作された際に、メインクロック周波数（第２クロック周波数）に対応した周波数で、ＴＶ受像機３の電源をＯＦＦにするためのリモコン信号を送信することができる。
【００５５】
すなわち、ＴＶ受像機３は、低消費電力モードから通常モードに切り換わらなくても、低消費電力モードのままで、ＴＶ受像機３の電源をＯＮにするためのリモコン信号を解析することができる。
したがって、ＴＶ受像機３を、リモコン信号の受信の度に低消費電力モードから通常モードに切り換わるよう構成する必要はなく、さらに、リモコン信号の解析のために低消費電力モードから通常モードに切り換える時間も必要ないため、ＴＶ受像機３の消費電力を抑えつつ、すばやく且つ確実にＴＶ受像機３の電源をＯＮすることができる。
さらに、電源キー１１ａは、電源ＯＮキー１１ａ１と電源ＯＦＦキー１１ａ２とを含むため、ユーザにより電源ＯＮキー１１ａ１又は電源ＯＦＦキー１１ａ２が操作されることとなって、より一層確実に、ＴＶ受像機３を電源ＯＮ又は電源ＯＦＦすることができる。
【００５６】
なお、本発明は、上記した実施の形態のものに限るものではなく、その要旨を逸脱しない範囲で適宜変更可能である。
【００５７】
リモコン信号送信制御プログラム１３３ｂ１を実行したＣＰＵ１３１とリモコン信号送信部１２とは、電源キー１１ａが操作された際に、サブクロック周波数に対応した周波数で、ＴＶ受像機３の電源をＯＮにするためのリモコン信号を送信するとともに、メインクロック周波数に対応した周波数で、ＴＶ受像機３の電源をＯＦＦにするためのリモコン信号を送信するようにしてもよい。この場合、電源キー１１ａは、電源ＯＮキー１１ａ１と電源ＯＦＦキー１１ａ２とに分ける必要はない。
【００５８】
サブクロック周波数のクロック信号と、メインクロック周波数のクロック信号と、を制御部３８へ供給することができるのであれば、クロック信号供給部３７の構成は任意である。
【００５９】
リモコン信号送信制御プログラム１３３ｂ１を実行したＣＰＵ１３１により、サブクロック周波数に対応した周波数で、ＴＶ受像機３の電源をＯＮにするためのリモコン信号を送信するようにしたが、例えば、リモコン信号データファイル１３３ａ１に、予め、ＴＶ受像機３の電源をＯＮにするためのリモコン信号をサブクロック周波数に対応した周波数で記憶しておいてもよい。この場合、リモコン信号送信制御プログラム１３３ｂ１を実行したＣＰＵ１３１は、リモコン信号データファイル１３３ａ１に記憶されたリモコン信号をそのまま送信すればよいこととなる。
【００６０】
サブクロック周波数に対応した周波数で送信するリモコン信号は、ＴＶ受像機３の電源をＯＮにするためのリモコン信号だけでなく、電源ＯＦＦ時（低消費電力モード時）のＴＶ受像機３が反応すべきリモコン信号であれば、任意である。
【００６１】
第１及び第２の実施の形態において、所定の被制御機器は、ＴＶ受像機３の限りでなく、電子機器であれば、任意である。
【図面の簡単な説明】
【００６２】
【図１】リモコン装置と、リモコン装置により遠隔制御されるＴＶ受像機と、の構成を示す図である。
【図２】ＴＶ受像機の機能的構成を示すブロック図である。
【図３】リモコン装置の機能的構成を示すブロック図である。
【図４】リモコン装置によるＴＶ受像機の電源ＯＮから電源ＯＦＦへの切換に関する処理を示すフローチャートである。
【符号の説明】
【００６３】
１  リモコン装置１
１１  キー操作部
１１ａ  電源キー
１１ａ１  電源ＯＮキー
１１ａ２  電源ＯＦＦキー
１２  リモコン信号送信部（送信手段）
１３１  ＣＰＵ（送信手段）
１３３ｂ１  リモコン信号送信制御プログラム（送信手段）
３  ＴＶ受像機（所定の被制御機器）
【図１】
2008054212.tif 000003
【図２】
2008054212.tif 000004
【図３】
2008054212.tif 000005
【図４】
2008054212.tif 000006